(57)【要約】【課題】  本来の性能とは異なる遊技機に変更する改造又はそのおそれのある時間を温度、湿度、汚れ、埃に影響されることなく特定・記録することにより、現在、将来の不正改造を防止し、業界の健全化に貢献できるＲＦＩＤを用いた遊技機の防犯システムを提供する。【解決手段】  スロットマシンからなる遊技機１と、遊技機１の副制御装置７０の回路基板５２Ａに粘着された無線タグ８０と、無線タグ８０との間で交信可能なリーダ装置１００とを備える。無線タグ８０は、リーダ装置１００と無線により交信する手段と、副制御装置７０の回路基板５２Ａの基板管理番号を記憶する手段とを有する。そして、リーダ装置１００は、無線タグ８０と交信可能な場合に副制御装置７０の回路基板５２Ａの基板管理番号を読み取る手段と、無線タグ８０と交信不能な場合にその時間を記録する手段とを有する。【選択図】図４
2005334143.tif 000002
【特許請求の範囲】
【請求項１】
遊技機の構成部品に取り付けられる無線タグと、この無線タグとの間で交信可能なリーダ装置とを備え、
無線タグは、リーダ装置と無線により交信する手段と、遊技機とその構成部品の少なくともいずれか一方に関する情報を記憶する手段とを含み、
リーダ装置は、無線タグと交信可能な場合に遊技機とその構成部品の少なくともいずれか一方に関する情報を読み取る手段と、無線タグと交信不能な場合にその時間を記録する手段とを含んでなることを特徴とするＲＦＩＤを用いた遊技機の防犯システム。
【請求項２】
リーダ装置は、外部と通信する手段を備えてなる請求項１記載のＲＦＩＤを用いた遊技機の防犯システム。
【請求項３】
遊技機の構成部品を、遊技機の筐体の開口を開閉するドアと、筐体に設置された制御装置の回路基板の少なくともいずれか一方とした請求項１又は２記載のＲＦＩＤを用いた遊技機の防犯システム。
【請求項４】
遊技機の筐体に加わる振動を検知し、リーダ装置の無線タグとの交信を不能とする振動センサを備えてなる請求項１、２、又は３記載のＲＦＩＤを用いた遊技機の防犯システム。
【請求項５】
遊技機の筐体の開口を開閉するドアの開放又は閉塞時に、リーダ装置の無線タグとの交信を不能とする交信規制手段を備えてなる請求項１、２、又は３記載のＲＦＩＤを用いた遊技機の防犯システム。
【発明の詳細な説明】
【技術分野】
【０００１】
本発明は、スロットマシンやパチンコ遊技機に代表される遊技機の防犯システムに関し、より詳しくは、ＲＦＩＤ（Ｒａｄｉｏ  Ｆｒｅｑｕｅｎｃｙ  Ｉｄｅｎｔｉｆｉｃａｔｉｏｎ：無線周波数識別）を用いた遊技機の防犯システムに関するものである。
【背景技術】
【０００２】
スロットマシンやパチンコ遊技機等からなる遊技機は、指定試験機関が実施する所定の試験に合格し、風俗営業等の規制及び業務の適正化等に関する法律(以下、風営法という)やその施行規則の要件を満たさなければ、遊技店で使用することができない。また、遊技機は、その説明書に明記された条件下で、構造、材質、性能に変化を及ぼさないよう使用される必要がある。
【０００３】
しかしながら、実際には、恣意的に利益を得ようとする者が遊技機の制御装置を構成する回路基板をすり替えたり、回路基板に実装されたＣＰＵ、ＲＯＭ、ＲＡＭ等の主要部品を不正に改造し、本来の性能とは異なる遊技機に変更するという悪質な違法事例が跡を絶たず、ファン離れや業界の健全化を阻害する要因の一つとなっている（特許文献１参照）。
【０００４】
このような本来の性能とは異なる遊技機に変更する不正改造（ゴトともいう）を防ぐ従来の防止策としては、製造業者が遊技機に製造番号票を貼り付けたり、制御装置を収納する樹脂ケースを封止（かしめ）して基板管理番号証や封印シールを貼り付ける等の対策があげられる。
【特許文献１】特開２００３‐２４５４５７号公報
【発明の開示】
【発明が解決しようとする課題】
【０００５】
しかし、最近の不正改造は、手口が巧妙化・複雑化してきているので、遊技機に製造番号票を貼り付けたり、制御装置のケースを封止して基板管理番号証や封印シールを貼り付けるだけでは、有効に防止することができなくなりつつある。
【０００６】
係る巧妙な不正改造の防止策はいろいろ考えられるが、その一つとして不正改造又はそのおそれのある時間を特定し、かつ記録するという対策があげられる。例えば、工場で製造された遊技機が遊技店に輸送されるまでの間に不正改造が行われた場合、その不正改造の発生日時を温度、湿度、汚れ、埃に影響されることなく特定・記録できれば、製造業者は輸送業者の責任を追求して法的措置を講じることができる。輸送業者の側としては、製造業者から法的制裁を受けるばかりか、次回から輸送を委託されなくなるので、輸送中に不正改造されないよう点検確認を励行し、適切な措置を講じる筈である。
【０００７】
また、遊技店の営業中に遊技機が不正改造された場合、その不正改造の発生時間を温度、湿度、汚れ、埃に影響されることなく特定・記録できれば、遊技場営業者の怠慢を問うことができる。遊技場営業者の側としては、職務怠慢を問われるばかりか、次回から新型の遊技機導入を自粛せざるを得なくなるので、従業員の指導を徹底し、不正改造の排除に万全を尽くす筈である。
【０００８】
さらに、遊技店の営業時間外の深夜や早朝に遊技機のドアが全開にされ、制御装置に対するアクセスが可能な場合、不正改造のおそれが客観的にあるといえるが、その不正改造のおそれのある時間を温度、湿度、汚れ、埃に左右されることなく特定・記録できれば、遊技場営業者の管理の甘さを指摘することができる。遊技場営業者の側としては、管理不十分を指摘されるだけではなく、次回から新型の遊技機を導入できなくなるおそれがあるので、不正改造されないよう従業員の指導や管理を徹底し、不正改造の予防に万全を尽くす筈である。
【０００９】
本発明は上記に鑑みなされたもので、本来の性能とは異なる遊技機に変更する改造又はそのおそれのある時間を温度、湿度、汚れ、埃に影響されることなく特定・記録することにより、現在、将来の不正改造を防止し、これを通じて業界の健全化に貢献することのできるＲＦＩＤを用いた遊技機の防犯システムを提供することを目的としている。
【課題を解決するための手段】
【００１０】
請求項１記載の発明においては、上記課題を解決するため、遊技機の構成部品に取り付けられる無線タグと、この無線タグとの間で交信可能なリーダ装置とを備え、
無線タグは、リーダ装置と無線により交信する手段と、遊技機とその構成部品の少なくともいずれか一方に関する情報を記憶する手段とを含み、
リーダ装置は、無線タグと交信可能な場合に遊技機とその構成部品の少なくともいずれか一方に関する情報を読み取る手段と、無線タグと交信不能な場合にその時間を記録する手段とを含んでなることを特徴としている。
【００１１】
なお、リーダ装置は、外部と通信する手段を備えると良い。
また、遊技機の構成部品を、遊技機の筐体の開口を開閉するドアと、筐体に設置された制御装置の回路基板の少なくともいずれか一方とすることが好ましい。
【００１２】
また、遊技機の筐体に加わる振動を検知し、リーダ装置の無線タグとの交信を不能とする振動センサを備えることができる。
さらに、遊技機の筐体の開口を開閉するドアの開放又は閉塞時に、リーダ装置の無線タグとの交信を不能とする交信規制手段を備えることができる。
【００１３】
ここで、特許請求の範囲における遊技機には、少なくともスロットマシンやプリペイドカード専用機（ＣＲ機）と呼ばれる弾球遊技機が含まれる。この遊技機の構成部品には、少なくとも遊技機の制御装置を構成する単数複数の回路基板、その他の回路基板、ドア、ハーネス等が含まれる。無線タグ（ＩＣタグ、ＩＤタグともいう）とリーダ装置とはＲＦＩＤシステムを構築するが、このＲＦＩＤシステムの伝送方式は、電磁結合方式、電磁誘導方式、電波方式のいずれでも良い。無線タグは、電池内蔵タイプ、電池レスタイプ、カード形、ラベル形、円筒形タイプを特に問うものではない。この無線タグに記憶される情報としては、例えば遊技機の製造番号や基板管理番号、製造業者名の記号等があげられる。
【００１４】
リーダ装置は、読み取り専用タイプやリード／ライト可能なタイプを特に問うものではなく、略同様の機能を有するコンピュータでも良い。このリーダ装置は、情報と電力のうち、少なくとも情報を無線タグに伝送できれば良い。リーダ装置が無線タグと交信不能な場合とは、リーダ装置の交信圏から無線タグが離れた場合、リーダ装置の交信圏内に無線タグが存在するが、遊技機の筐体の振動を振動センサが検知した場合、あるいはリーダ装置の交信圏内に無線タグが存在するが、これらの交信が交信規制手段により規制された場合をいう。
【００１５】
リーダ装置に記録される時間には、年、月、日、時、分、秒が含まれる。このリーダ装置の外部と通信する手段は、有線無線を問わず、少なくとも無線タグとリーダ装置との交信が不能となり、時間が記録された場合に、外部のコンピュータ及び又は携帯端末等の電子機器に警報や警告を送信する。さらに、交信規制手段としては、例えばドアの開放時に無線タグとリーダ装置の間に介在する導電性の金属片、ドアの開放時に無線タグとリーダ装置の間に介在する導電性のシャッタ、又はこれらと各種のリンク機構、カム機構、バネ部材、ソレノイド、光センサとの組み合わせ等があげられる。
【発明の効果】
【００１６】
請求項１記載の発明によれば、遊技機の構成部品について不正改造やそのおそれのある準備行為が行われ、無線タグとリーダ装置の交信が不能になると、その不能になった時間が記録される。したがって、遊技機に関する責任の所在を明確にしたり、責任者の注意を喚起して現在、将来の不正改造を抑制あるいは防止することができ、これを通じて遊技業界の健全化に資することができるという効果がある。
【００１７】
また、遊技機の防犯に、光学的なバーコードシステムではなく、ＲＦＩＤシステムを採用するので、時間の特定・記録に、温度、湿度、汚れ、埃が悪影響を及ぼすことがなく、しかも、無線タグとリーダ装置との間に、例え紙、プラスチック、木材等が介在しても交信を確保することができる。また、電池レスタイプの無線タグを採用すれば、無線タグの小型化、薄型化、軽量化を図ることができるので、恣意的に利益を得ようとする者に発見されにくくなり、取り扱いも容易になる。
【００１８】
また、請求項２記載の発明によれば、遊技機器の構成部品に対して不正改造又はそのおそれのある準備行為が行われた場合に、リーダ装置から外部に通信するようにすれば、不正改造やその準備行為を遊技機から離れた外部においても把握することが可能になる。したがって、不正改造の停止、不正改造の痕跡の発見、手口の分析、不正改造器具の把握、情報収集を迅速に行うことが可能になる。
【００１９】
また、請求項３記載の発明によれば、制御装置の回路基板や回路基板に実装された主要部品に関する現在、将来の不正改造を抑制したり、防止することが可能になる。また、遊技機のドアの開閉という不正改造に不可欠な準備行為を把握し、将来における不正改造の予防が期待できる。
【００２０】
また、請求項４記載の発明によれば、遊技機の筐体を揺らすという不正改造の準備行為を把握することができ、これにより現在、将来の不正改造の抑制防止が期待できる。さらに、筐体の揺れに伴う遊技機の故障を未然に防止することも期待できる。
【発明を実施するための最良の形態】
【００２１】
以下、図面を参照して本発明の好ましい実施の形態を説明すると、本実施形態におけるＲＦＩＤを用いた遊技機の防犯システムは、図１ないし図８に示すように、スロットマシンからなる遊技機１と、この遊技機１の制御装置５０の回路基板５２Ａに粘着された電池レスタイプの無線タグ８０と、この無線タグ８０との間で交信するリーダ装置１００とを備え、無線タグ８０とリーダ装置１００とが交信距離の短い電磁結合方式のＲＦＩＤシステムを構築している。
【００２２】
遊技機１は、図１ないし図４に示すように、本体として機能する四角形の筐体１０と、この筐体１０の開口した正面を開閉するドア３０と、全体を制御する制御装置５０と、少なくともこの制御装置５０に電力を供給する電源ユニット７４とを備え、図示しない遊技店に設置される。
【００２３】
筐体１０は、図１ないし図４に示すように、正面視で縦長のフロントオープンボックスに形成され、平坦な内底面には、タンクに図示しないメダルを貯えるホッパーユニット１１が設置されており、このホッパーユニット１１が遊技結果に基づいてメダルを払い出すよう機能する。筐体１０は、その背面壁１２に細長い複数の通気孔１３が穿孔され、両側壁１４・１５の略中央部間には、内部空間を上下二段に区画する棚板１６が水平に架設されており、この棚板１６上に、分離型のリールユニット１７が搭載される。
【００２４】
リールユニット１７は、図１や図２に示すように、枠体に支持板等を介して設置された複数個のステッピングモータ等からなるモータと、横一列に配列され、各モータの駆動に基づいて回転する複数本（本実施形態では３本）の回転リール１８とから構成され、複数の回転リール１８が共に回転したり、各回転リール１８が個別に回転する。
【００２５】
各回転リール１８は、合成樹脂製の回転ドラムと、この回転ドラムの周面に貼着された略帯形のリールテープ１９とから構成され、このリールテープ１９の外周面には、図示しない複数個の図柄２０が所定の配列で周方向に描かれている。この複数個の図柄２０としては、例えば「赤７」、「ＢＡＲ」、「スイカ」、「ベル」、「チェリー」、「Ｒｅｐｌａｙ」等からなる合計２１個の図柄があげられる。
【００２６】
筐体１０の一側壁１４の内面上方には、図示しない製造番号票が貼着されるとともに、一側壁１４の内面下方には、ドア３０用の屈曲した被ロック片（図示せず）が取り付けられ、筐体１０の他側壁１５には図３や図４に示すように、ドア３０を支持する複数のヒンジ２１が上下方向に間隔をおいて取り付けられている。
【００２７】
ドア３０は、図１ないし図４に示すように、様々なキャラクターや意匠（図示せず）の描かれた上部ドア３１と、この上部ドア３１の下方に位置する下部ドア３８とを備え、これら上部ドア３１と下部ドア３８とが筐体１０の他側壁１５に複数のヒンジ２１を介し前後方向に回転可能に支持されている。
【００２８】
上部ドア３１は、正面略矩形に形成され、遊技する遊技者に対向する表示窓３２が形成されており、この表示窓３２の中央部には、遊技者に複数の回転リール１８の図柄２０を３行３列に表示する図柄表示窓３３が形成されている。上部ドア３１の表示窓３２、及び上部ドア３１の上部から両側部に亘る領域には、表示装置３４が設置されている。
【００２９】
表示装置３４は、図１ないし図４に示すように、例えばＬＥＤ、ドットマトリックス、又は液晶画面等から構成されるとともに、上部ドア３１の表示窓３２に設けられて複数の回転リール１８の上方に位置し、入賞の報知やその他の演出をする演出表示装置３５と、上部ドア３１の上部から両側部に亘る領域に略逆Ｕ字形に設けられ、点滅又は点灯して演出効果を発揮するアーチランプ３６と、上部ドア３１の上部両側にそれぞれ裏面側から設置されて入賞の報知等を知らせる左右一対のスピーカ３７とから構成されている。
【００３０】
下部ドア３８は、表面に様々なキャラクターや意匠（図示せず）の描かれた横長に形成され、表面の最下部には、トップオープンボックスタイプのメダル受皿３９が設けられており、このメダル受皿３９にホッパーユニット１１から払出口４０を介してメダルが払い出される。下部ドア３８の上部には、上部ドア３１との境界付近に位置する操作領域４１が形成され、この操作領域４１には図１や図２に示すように、メダル投入口４２、投入スイッチ４４、ベットスイッチ４５、精算スイッチ４６、スタートスイッチ４７、及び複数のストップスイッチ４８等が配設されている。
【００３１】
メダル投入口４２には、図示しないメダル貸機から借りた遊技者のメダルが投入される。このメダル投入口４２の下方近傍には取付孔が穿孔され、この取付孔にはドアロック４３が挿着されており、このドアロック４３の鍵穴に図示しない鍵が挿入され、所定の方向に回転操作されることにより、ドアロック４３のロック機構が筐体１０の被ロック片にロック、アンロックされる。また、投入スイッチ（１枚投入スイッチともいう）４４は、既に投入された貯留遊技メダルを１枚の投入メダルとして減じて遊技可能とするよう機能する。
【００３２】
ベットスイッチ（ＭＡＸベッドボタンともいう）４５は、押圧操作されることにより、貯留メダル数を最大投入枚数（３枚）まで減じてメダル投入に代えるよう機能する。精算スイッチ４６は、押圧操作されることにより、貯えられたメダルを払い出すよう機能する。また、スタートスイッチ４７は、例えば上下方向に揺動可能なレバーからなり、メダル投入口４２からの遊技メダルの投入又は投入スイッチ４４、ベッドスイッチ４５の押圧操作を条件に、あるいは再遊技役に入賞した時には前遊技から所定時間の経過を条件に、リールユニット１７を駆動する。
【００３３】
ここで、再遊技（Ｒｅｐｌａｙ）とは、後述する当選抽選機能の抽選により、再遊技のフラグが成立（当選）し、再遊技の図柄が入賞有効ラインに揃うこと（入賞）により、次回の遊技時に新たに遊技メダルを投入することなく、前回の遊技開始状態と同じ条件で再度遊技を行うことをいう。
【００３４】
複数のストップスイッチ４８は、複数の回転リール１８の数に応じた数とされ、各回転リール１８の下方に所定の間隔をおいて横一列に配列されており、押圧操作されることにより、対応する回転リール１８の回転を停止させる。
【００３５】
制御装置５０は、図３ないし図５に示すように、主制御装置５１と、この主制御装置５１から信号を受信して作動する副制御装置７０とを備え、これら主制御装置５１と副制御装置７０とが筐体１０内に設置されるとともに、ホッパーユニット１１やリールユニット１７等にケーブルを介して電気的に接続されている。
【００３６】
主制御装置５１は、図３ないし図５に示すように、主プリント回路基板からなる回路基板５２にＣＰＵ５３、ＲＯＭ５４、ＲＡＭ５５、Ｉ／Ｏ、その他の電子部品が実装され、不正改造されないよう透明の樹脂ケース５６に収納されて強固に封止されており、棚板１６の奥の背面壁内面に強固に螺着されている。樹脂ケース５６の開閉蓋には、図示しない基板管理番号証が貼着されている。
【００３７】
主制御装置５１は、演算処理機能を有するＣＰＵ５３がＲＡＭ５５を作業領域としてＲＯＭ５４に記憶された所定のプログラムを読み込むことにより、ホッパーユニット１１や回転リール１８を制御する遊技制御装置５７、及び予め定められた抽選確率に基づいて当選か否かの抽選を行う当選抽選手段６０として機能する。
【００３８】
遊技制御装置５７は通常遊技制御手段５８や特別遊技制御手段５９として機能し、当選抽選手段６０は乱数発生手段６１、乱数抽出手段６２、当選判定テーブル６３、判定手段６４として機能するが、本実施形態に直接関係しないので、ここでは説明を省略する。特別遊技制御手段５９も、特定導入遊技制御手段６５や特定遊技制御手段６６として機能するが、これについても直接関係しないので説明を省略する。
【００３９】
副制御装置７０は、図３ないし図５に示すように、サブプリント回路基板からなる回路基板５２ＡにＣＰＵ５３Ａ、ＲＯＭ５４Ａ、ＲＡＭ５５Ａ、Ｉ／Ｏ、その他の電子部品が実装され、不正改造されないよう透明の樹脂ケース５６Ａに収納されて強固に封止されており、棚板１６の一側壁内面に強固に螺着されている。樹脂ケース５６Ａの開閉蓋には、図示しない基板管理番号証が貼着されている。
【００４０】
副制御装置７０は、演算処理機能を有するＣＰＵ５３ＡがＲＡＭ５５Ａを作業領域としてＲＯＭ５４Ａに記憶された所定のプログラムを読み込むことにより、表示装置３４を制御する演出制御装置７１として機能する。演出制御装置７１は、演出選択手段７２や遊技回数記憶手段７３として機能するが、本実施形態に直接関係しないので、説明を省略する。
【００４１】
電源ユニット７４は、図３や図４に示すように、外部接続端子に電気的に接続する電源ケーブルや電源スイッチ７５等を備え、棚板１６の下面に取付板等を介して取り付けられるとともに、ホッパーユニット１１、リールユニット１７、及び制御装置５０にケーブルを介し電気的に接続されており、ホッパーユニット１１、リールユニット１７、制御装置５０、及び要通電部に電力を供給する。
【００４２】
無線タグ８０は、図３、図４、図６に示すように、制御装置５０を構成する副制御装置７０の回路基板５２Ａに粘着された絶縁性の基板８１と、この基板８１の表面に形成され、交流磁界によるコイルの相互誘導に基づいてリーダ装置１００から電力と情報を受信するコイル形のアンテナ８２と、このアンテナ８２の末端部に接続されたＩＣチップ８３とから薄く小さく構成されている。ＩＣチップ８３は、アンテナ８２から電力と情報が伝送される交信用の回路８４と、回路基板５２Ａの基板管理番号（遊技機１の構成部品に関する情報）を記憶した不揮発性のメモリ８５とを備え、基板８１の表面に実装されている。
【００４３】
ＩＣチップ８３は、リーダ装置１００からマイクロ波が出力され、アンテナ８２に起電力が生じて回路８４が駆動すると、起電力の交流成分に重畳されている情報の信号成分を抽出する抽出手段８６、抽出された情報の信号成分を解析する解析手段８７、この解析手段８７による解析処理に基づき、メモリ８５に回路基板５２Ａの基板管理番号を記憶する記憶手段８８、解析手段８７による解析処理に基づき、メモリ８５に記憶されている回路基板５２Ａの基板管理番号を読み出す読出手段８９、及び読み出された基板管理番号に応じた交流信号をアンテナ８２に供給して電磁波を発信する発信手段９０として機能する。
【００４４】
このような構成の無線タグ８０は、抽出手段８６、解析手段８７、記憶手段８８、読出手段８９、及び発信手段９０が協働することにより、リーダ装置１００と無線により交信し、回路基板５２Ａの基板管理番号を記憶する。
【００４５】
リーダ装置１００は、図３、図４、図７に示すように、交流磁界によるコイルの相互誘導を利用して無線タグ８０のアンテナ８２に電力と情報をマイクロ波により伝送するヘッドユニット１０１と、プリント回路基板に実装されたＣＰＵ１０２、ＲＯＭ１０３、ＲＡＭ１０４、その他の電子部品とを備え、筐体１０の棚板１６に搭載されて副制御装置７０の樹脂ケース５６Ａに隣接し、回路基板５２Ａの無線タグ８０から数ｃｍの距離に近接している。
【００４６】
リーダ装置１００のＣＰＵ１０２は、ＲＡＭ１０４を作業領域としてＲＯＭ１０３に記憶された所定のプログラムを読み込むことにより、送受信手段１０５、判定手段１０６、読取手段１０７、時間記録手段１０８、及び通信手段１０９として機能する。
【００４７】
送受信手段１０５は、無線タグ８０に電力と情報をアンテナ８２とヘッドユニット１０１を介して送信し、交信圏内の無線タグ８０から回路基板５２Ａの基板管理番号を乗せた電磁波をアンテナ８２とヘッドユニット１０１を介して受信する。判定手段１０６は、送受信手段１０５が回路基板５２Ａの基板管理番号を乗せた電磁波を受信できたか否かを判定する。また、読取手段１０７は、判定手段１０６が係る電磁波を受信できたと判定した場合に、回路基板５２Ａの基板管理番号を読み取る。
【００４８】
時間記録手段１０８は、判定手段１０６が係る電磁波を受信できなかったと判定した場合に、受信できなかった時間を記録する。通信手段１０９は、少なくとも時間記録手段１０８が時間を記録した場合に、外部の遊技場営業者あるいは管理者のセキュリティ用のコンピュータ１１０や携帯端末１１１に警告信号を無線により送信する。
【００４９】
このような構成のリーダ装置１００は、送受信手段１０５、判定手段１０６、読取手段１０７、及び時間記録手段１０８が協働することにより、無線タグ８０が近距離に存在して無線により交信可能な場合には回路基板５２Ａの基板管理番号を読み取り、無線タグ８０が遠く離れて無線により交信不能な場合にはその交信不能な時間を記録する。
【００５０】
上記において、遊技機１が不正に改造されることなく、副制御装置７０の回路基板５２Ａとリーダ装置１００とが近距離に位置する場合には、リーダ装置１００から交信圏内の無線タグ８０に電力が供給されるので、図８のフローチャートに示すように、リーダ装置１００の送受信手段１０５が無線タグ８０から回路基板５２Ａの基板管理番号を乗せた電磁波を受信し、送受信手段１０５が係る電磁波を受信できたと判定手段１０６が判定する（Ｓ１）。判定手段１０６が係る電磁波を受信できたと判定した場合には、読取手段１０７が回路基板５２Ａの基板管理番号を読み取ることとなる（Ｓ２）。
【００５１】
これに対し、遊技機１の不正改造のため、副制御装置７０の回路基板５２Ａが持ち去られてリーダ装置１００から離れると、リーダ装置１００の交信圏から無線タグ８０が離れて電力が供給されなくなるので、ＲＦＩＤシステムが機能しなくなる。したがって、図８に示すように、送受信手段１０５が回路基板５２Ａの基板管理番号を乗せた電磁波を受信できなかったと判定手段１０６が判定（Ｓ１）し、時間記録手段１０８が受信できなかった時間を記録する（Ｓ３）。
【００５２】
時間記録手段１０８が時間を記録すると、通信手段１０９が外部の遊技場営業者あるいは管理者のコンピュータ１１０や携帯端末１１１に警告信号を送信（Ｓ４）し、この警告信号の送信により遊技機１の不正改造が発覚し、迅速な対応が採られることとなる。
【００５３】
上記構成によれば、不正改造の発生日時を明瞭に特定・記録して責任の所在を明確にすることができるので、輸送業者の責任を追求して法的措置を講じたり、遊技場営業者の怠慢や管理の甘さを指摘することができる。この反射的効果として、輸送業者や遊技場営業者は、適切な措置を講じたり、不正改造の予防に万全を尽くすことになるので、将来の不正改造防止が大いに期待でき、これを通じて遊技業界の健全化に貢献することができる。
【００５４】
また、遊技機１の防犯にＲＦＩＤシステムを採用するので、不正改造の時間の特定・記録に、温度、湿度、汚れ、埃、油、直射日光等が何ら悪影響を及ぼすことがなく、しかも、回路基板５２Ａの無線タグ８０が樹脂ケース５６Ａに覆われていても、無線タグ８０とリーダ装置１００の交信を有効に確保することができる。
【００５５】
また、電池レスタイプの無線タグ８０を採用するので、長期に亘り安価に使用することができるとともに、無線タグ８０を小型化して回路基板５２Ａに埋め込むこともでき、これにより不正改造により利益を得ようとする者に察知されにくくなり、取り扱いも実に容易になる。さらに、ＲＦＩＤシステムが電磁結合方式なので、磁気的な結合が強く、耐ノイズ性もきわめて良好である。
【００５６】
次に、図９は本発明の第２の実施形態を示すもので、この場合には、遊技機１の筐体１０、具体的には筐体１０の他側壁内面の下方に、筐体１０に加わる振動を検知する振動センサ１２０を取り付けるとともに、この振動センサ１２０をリーダ装置１００に接続し、振動センサ１２０の検知に基づいてリーダ装置１００の無線タグ８０との交信を不能とするようにしている。
【００５７】
上記において、遊技機１の不正改造の準備行為として遊技機１の筐体１０が前後左右に揺らされると、筐体１０に加わる振動を振動センサ１２０が検知してその検知信号をリーダ装置１００に出力し、送受信手段１０５が回路基板５２Ａの基板管理番号を乗せた電磁波を受信できたか否かにかかわらず、受信できなかったと判定手段１０６が判定する。
【００５８】
判定手段１０６が受信できなかったと判定すると、時間記録手段１０８が受信できなかった時間を記録し、通信手段１０９が外部の遊技場営業者あるいは管理者のコンピュータ１１０や携帯端末１１１に警告信号を送信し、この警告信号の送信により遊技機１の不正改造が発覚し、迅速な対応が採られることとなる。その他の部分については、上記実施形態と同様であるので説明を省略する。
【００５９】
本実施形態においても上記実施形態と同様の作用効果が期待でき、しかも、遊技機１の筐体１０を揺らすという不正改造の準備行為を確実に把握することができる。これにより、現在、将来の不正改造の抑制防止が大いに期待できるのは明らかである。また、地震等に伴い筐体１０が揺れ、この筐体１０の揺れに基づいて遊技機１に重大な機能不全が生じるのを未然に防止することもできる。
【００６０】
なお、本実施形態では筐体１０に振動センサ１２０を取り付けたが、何らこれに限定されるものではない。例えば、樹脂ケース５６の開閉蓋等に振動センサ１２０のセンサ部を取り付け、この振動センサ１２０のＯＮ／ＯＦＦを、特定の管理者が鍵入力又は暗号入力等することにより、はじめて実行操作できるようにする。そして、回路基板５２の不正交換時に樹脂ケース５６の開閉蓋等の揺れやその大きさを検知することにより、不正防止を図るようにしても良い。
【００６１】
次に、図１０及び図１１は本発明の第３の実施形態を示すもので、この場合には、筐体１０を開閉するドア３０、具体的には上部ドア３１の裏面下方に無線タグ８０を取り付けるとともに、筐体１０の一側壁内面に交信規制手段１３０を設置し、この交信規制手段１３０により、ドア３０の開放時にリーダ装置１００の無線タグ８０との交信を不能とするようにしている。
【００６２】
無線タグ８０のＩＣチップ８３には、回路基板５２Ａの基板管理番号の代わりに遊技機１の製造番号（遊技機１に関する情報）が記憶されている。交信規制手段１３０は、図１０及び図１１に示すように、例えば筐体１０の一側壁内面に取り付けられた支持具１３１と、この支持具１３１に捩りバネ等を介し前後方向に回転可能に支持された可撓性のフレキシブル基材１３３から構成されている。
【００６３】
支持具１３１には、フレキシブル基材１３３を支持片等を介して支持する支持軸１３２が回転可能に軸支されるとともに、フレキシブル基材１３３がドア３１の開放時に必要以上にドア方向に回転しないようストッパが設けられている。
【００６４】
フレキシブル基材１３３は、例えば可撓性を有する矩形の絶縁フィルムからなり、この絶縁フィルムの表裏両面のうち少なくとも無線タグ８０に対向する表面には、電磁波を吸収する導電フィルム１３４が薄く積層されており、ドア３０の閉塞時には、ドア３０の裏面に取り付けられた規制金具により筐体１０の一側壁内面方向に屈曲しながら押しやられ、ドア３０の開放時には、規制金具が離隔することにより、捩りバネにより回転して無線タグ８０とリーダ装置１００の間に介在するよう機能する。その他の部分については、上記実施形態と同様であるので説明を省略する。
【００６５】
上記において、遊技機１の不正改造の準備行為として遊技機１のドア３０が開放されると、無線タグ８０とリーダ装置１００の間にフレキシブル基材１３３が介在して電磁波を吸収し、ＲＦＩＤシステムが機能しなくなる。これにより、送受信手段１０５が遊技機１の製造番号を乗せた電磁波を受信できなかったと判定手段１０６が判定し、時間記録手段１０８が受信できなかった時間を記録する。
【００６６】
時間記録手段１０８が時間を記録すると、通信手段１０９が外部の遊技場営業者あるいは管理者のコンピュータ１１０や携帯端末１１１に警告信号を送信し、この警告信号の送信により遊技機１の不正改造が発覚し、迅速な対応が採られる。
【００６７】
本実施形態においても上記実施形態と同様の作用効果が期待でき、しかも、スロットマシンからなる遊技機１のドア３０を開放するという不正改造に不可欠な準備行為を確実に把握することができるので、現在、将来の不正改造の抑制防止が大いに期待できる。さらに、フレキシブル基材１３３が無線タグ８０からの電磁波を吸収するので、ＲＦＩＤシステムの交信距離や環境条件等に左右されることなく、リーダ装置１００の受信を確実に規制することができるのは明らかである。
【００６８】
なお、上記実施形態では棚板１６に分離型のリールユニット１７を搭載したが、棚板１６にリールユニット１７を固定して搭載しても良い。また、リールユニット１７の枠体上部に、回転リール１８の上方に位置する搭載板を水平に設け、この搭載板に主制御装置５１や副制御装置７０を搭載しても良い。また、ドア３０を、上部ドア３１と下部ドア３８とを一体的に有する一枚としたが、上部ドア３１と下部ドア３８とが個別に開閉する二枚のドアに分割形成しても良い。
【００６９】
また、下部ドア３８の両側に左右一対のスピーカ３７を設置することも可能である。また、筐体１０の背面壁１２の内面あるいは外面に制御装置５０を設置することも可能である。また、主制御装置５１と副制御装置７０のＣＰＵ５３・５３Ａ、ＲＯＭ５４・５４Ａ、ＲＡＭ５５・５５Ａ、Ｉ／Ｏ等を一体化してワンチップにすることも可能である。また、主制御装置５１と副制御装置７０のＣＰＵ５３・５３Ａは、単数複数いずれにもすることができる。
【００７０】
また、筐体１０の下部空間に電源ユニット７４を設置してホッパーユニット１１に隣接させることもできる。また、主制御装置５１の回路基板５２に無線タグ８０を粘着しても良いし、主制御装置５１と副制御装置７０の回路基板５２・５２Ａに無線タグ８０をそれぞれ粘着することもできる。また、無線タグ８０のＩＣチップ８３に、遊技機１及び又はその構成部品に関する情報を最初に記憶させる場合には、リーダ装置１００の他、ライタ装置を使用することもできる。
【００７１】
また、ＩＣチップ８３に、遊技機１の製造番号と回路基板５２Ａの基板管理番号とをまとめて記憶させても良い。また、リーダ装置１００のＲＯＭ１０３として、記憶保持可能な温度の高いＥＥＰ−ＲＯＭ等を使用しても良い。また、リーダ装置１００に乱数発生手段、乱数抽出手段、記録手段等を設け、これらの手段により、リーダ装置１００の読み取りをランダムに監視するようにしても良い。また、リーダ装置１００にダミーのリーダ装置を隣接させたり、積み重ねて配置し、不正改造により恣意的に利益を得ようとする者を混乱させるようにしても良い。
【００７２】
また、遊技機１の筐体１０ではなく、ドア３０、樹脂ケース５６Ａの開閉蓋、リーダ装置１００に振動センサ１２０を取り付けることもできる。さらに、ドア３０の裏面に取り付けた無線タグ８０とリーダ装置１００の交信距離を短く（例えば、２０ｃｍ以下）設定し、ドア３０の開放に伴いＲＦＩＤシステムが機能しなくなるようにし、フレキシブル基材１３３からなる交信規制手段１３０を省略しても良い。さらにまた、絶縁フィルムの表裏両面に、電磁波を吸収する導電フィルム１３４をそれぞれ積層しても良い。
【図面の簡単な説明】
【００７３】
【図１】本発明に係るＲＦＩＤを用いた遊技機の防犯システムの実施形態における遊技機の正面図である。
【図２】図１の斜視説明図である。
【図３】本発明に係るＲＦＩＤを用いた遊技機の防犯システムの実施形態における遊技機のドアを開き、リールユニットを取り外した状態を示す斜視説明図である。
【図４】本発明に係るＲＦＩＤを用いた遊技機の防犯システムの実施形態を示す斜視説明図である。
【図５】本発明に係るＲＦＩＤを用いた遊技機の防犯システムの実施形態における制御装置を示す説明図である。
【図６】本発明に係るＲＦＩＤを用いた遊技機の防犯システムの実施形態における無線タグを示す説明図である。
【図７】本発明に係るＲＦＩＤを用いた遊技機の防犯システムの実施形態におけるリーダ装置を示す説明図である。
【図８】本発明に係るＲＦＩＤを用いた遊技機の防犯システムの実施形態を示すフローチャートである。
【図９】本発明に係るＲＦＩＤを用いた遊技機の防犯システムの第２の実施形態を示す斜視説明図である。
【図１０】本発明に係るＲＦＩＤを用いた遊技機の防犯システムの第３の実施形態を示す斜視説明図である。
【図１１】本発明に係るＲＦＩＤを用いた遊技機の防犯システムの第３の実施形態における交信規制手段を示す要部斜視図である。
【符号の説明】
【００７４】
１          遊技機
１０        筐体
１２        背面壁
１４        一側壁
１５        他側壁
１７        リールユニット
３０        ドア（構成部品）
３１        上部ドア（構成部品）
３８        下部ドア（構成部品）
５０        制御装置
５１        主制御装置（制御装置）
５２        回路基板（構成部品）
５２Ａ      回路基板（構成部品）
５３        ＣＰＵ
５３Ａ      ＣＰＵ
５４        ＲＯＭ
５４Ａ      ＲＯＭ
５５        ＲＡＭ
５５Ａ      ＲＡＭ
５６        樹脂ケース
５６Ａ      樹脂ケース
７０        副制御装置（制御装置）
８０        無線タグ
８１        基板
８２        アンテナ
８３        ＩＣチップ
８４        回路
８５        メモリ
８６        抽出手段
８７        解析手段
８８        記憶手段
８９        読出手段
９０        発信手段
１００      リーダ装置
１０１      ヘッドユニット
１０２      ＣＰＵ
１０３      ＲＯＭ
１０４      ＲＡＭ
１０５      送受信手段
１０６      判定手段
１０７      読取手段
１０８      時間記録手段
１０９      通信手段
１１０      コンピュータ（外部）
１１１      携帯端末（外部）
１２０      振動センサ
１３０      交信規制手段
１３１      支持具
１３３      フレキシブル基材
１３４      導電フィルム
【図１】
2005334143.tif 000003
【図２】
2005334143.tif 000004
【図３】
2005334143.tif 000005
【図４】
2005334143.tif 000006
【図５】
2005334143.tif 000007
【図６】
2005334143.tif 000008
【図７】
2005334143.tif 000009
【図８】
2005334143.tif 000010
【図９】
2005334143.tif 000011
【図１０】
2005334143.tif 000012
【図１１】
2005334143.tif 000013